(57)【要約】      （修正有）【課題】消毒、殺虫、又は芳香効果をも達成し、此れ等効果に付随して、其の雰囲気の湿度も同時に増加させる温度、湿度調整送風機を提供する。【解決手段】家庭扇風機型の送風機のガードリング上に、先端を閉塞し、多数の細孔を備える二股枝管１１を備えた冷媒水供給用ビニール本管を、此の二股枝管部分を跨らせて取り付け、更に此のガードリング上の前記二股枝管に、特定形状の水分湿潤性の高い布を接続する一方、此の布全体を扇風機前ガードの扇風噴出し面の一部を被覆し、他方、二股冷媒水供給管１０は、冷媒水供給量調節手段を備えた導管を介して、冷媒水貯槽に接続し、必要時に、一定量の冷媒水滴が前記扇風機上の湿潤布に供給される様に構成して、此の布を介して吹き抜ける扇風又は此れをはためかせて通過する扇風に依って、布を湿潤し保水されている前記冷媒水を気化させて、扇風方向風下の雰囲気を、冷却させる様に構成した事を特徴とする。【選択図】図１
0003166744.tif 000002
【実用新案登録請求の範囲】
【請求項１】
夫々一面に多数の細孔を具備し、夫々の両端が閉塞された二股枝管を備えた冷媒水供給管と、前記枝管から滲出する冷媒水を含浸すると共に保水する湿潤布と、適当な構造の送風機とより成り、前記湿潤布を、送風機の送風面上に、前記冷媒水供給管の二股枝管を、送風機の取り付け上面上に夫々装着すると共に、此れ等両者を、前記冷媒水が直接的又は間接的に、後者から前者へ供給され得る様に構成した事を特徴とする温度、湿度調節送風機。
【請求項２】
前記冷媒水供給管が、その供給量を調節する手段を介して、冷媒水貯槽に連結されている事を特徴とする請求項１記載の送風機。
【請求項３】
前記多孔性物質が、天然又は合成樹脂製の繊維又は布である事を特徴とする前記請求項１又は２の何れかに記載の送風機。
【請求項４】
前記冷媒水供給管が、合成樹脂特にビニール樹脂である事を特徴とする前記請求項の何れか１項に記載の送風機。
【請求項５】
前記送風機が、家庭用スタンド型扇風機である事を特徴とする前記請求項の何れかに１項に記載の送風機。
【請求項６】
前記冷媒水貯槽に、消毒剤、殺菌剤、及び芳香剤の少なくとも一種を混合した事を特徴とする前記請求項の何れか１項に記載の送風機。
【考案の詳細な説明】
【技術分野】
【０００１】        本考案は、室内の温度、湿度を調節し得ると共に必要ならば殺菌、消毒作用並びに芳香発散作用も兼ね備えた送風機に関する。
【背景技術】
【０００２】        近時、家庭に於いて好適な生活環境を維持する為に、家屋内に空調設備を備える事が一般的に成って来ているが、個々の小部屋まで此れを取り揃えるには、経済的な理由から不可能な場合が多く存在している。
この様な場合の各小部屋には、夏の暑さ対策には扇風機を、冬の寒さには石油コンロ、電気ヒーター、炬燵等を利用して、暑さ寒さを凌いでいる。【０００３】        特に夏の暑さ凌ぎには、この様な狭小な室内環境では、持ち運び自在で調度品型の扇風機が利用されるのが一般的と成っている。
然しながら、そのデザインや、構造、或いは取り扱い利便性等は、相当改善されてきているが、基本的な冷却方式は、送風の強弱、風道の方向変換等以外、旧態依然として全く目新しい改善を見出す事が出来ない。
従って、環境温度が体温に近付いて来ると、其の送風による冷感又は涼爽感は徐々に失われ、遂には全く感じなくなる事、密閉狭小室内での扇風機通風冷房から多々体験される所である。
【考案の開示】
【考案が解決しようとする課題】
【０００４】        この様な現実は、送風機、特に扇風機が、人間の体温よりも低い環境内の空気を強烈な流れとして吹き付ける事に依って涼感を得る事が出来るので有るが、此の涼感は、上記した理由に依って、人体温度と環境温度とが同等か若しくは近似してきた時、送風機を如何に強力に送風させても、全く冷気又は涼気を体感出来なく成る事は、しばしば体験する所である。
此の現象を今少し詳細に説明すると以下の如く説明することが出来る。
即ち、送風機例えばスタンド型扇風機が、特定環境、例えば密閉室内環境で、送風して隅々まで特定温度（室内温度）の空気を循環させ、其の空気の流れで、室内の隅々の冷気を温めて上昇又は循環させ、目的場所の目的物例えば人体と接触し、暖められたとはいえ、未だ体温以下の温度にある此の冷気は、連続して扇風機から流出してくるやや暖められた気流と共に、冷却目的物の人体に接触して、一時的に冷気又は涼気を体感させて流れ去る。【０００５】        この様な冷却サイクルを繰り返しても、建物材や調度品の温度は、通常人間体温よりも低温であるから、此れ等と接触する扇風機の通風温度は、普通であれば体温よりも高温に成る事は考えられないが、夏場の強烈な太陽熱の影響を受ける場合には、当然其の輻射現象で室内温度即ち扇風機通風温度が、体温と同等又は近似温度に成る場合も体験され、其の時の通風状態は、生暖かい噴出温度しか届かず、扇風機の冷気、涼気は完全に失われている事、しばしば体験する所である。
本考案は、送風機特に扇風機の通風時に、液体媒体特に水の蒸発時に発生する吸熱作用を応用して、被冷却雰囲気を通常冷却温度以上に冷却して、冷気、涼気感度を一層向上させ、一層長く持続させんとするものである。
【課題を解決する為の手段】
【０００６】          一般に水は、気化する時に気化熱により、周りの雰囲気内の熱を吸収して冷却作用を行う特性を持っている。
例えば打ち水又は霧吹きによる噴霧後涼感を得られる事それが気化熱の作用である。
本考案も此の原理を扇風機の送風路上に利用して其の効果を獲得せんとするものである。
【０００７】          此の原理に基ずき、本考案の扇風機に於いては、そのガードリング上に、水の如き冷媒を湿潤保水する湿潤布、或いは多孔性合成物質、等を取り付けて扇風機前ガードの一部を被覆すると共に、前記ガードリング上に、二股状に分枝して、前記冷媒水を湿潤布上に滴下供給する冷媒水供給主管を装着して、適当量の冷媒水が、常時水滴として前記布上に供給し得るように構成し、扇風機の羽根の風力により吹き飛ばされた冷媒水微粒子の蒸発気化熱で、其の雰囲気内の温度を低下さす様に構成した事を特徴とするものである。
【０００８】          更に此の布に供給される冷媒水は、一本のビニール導管で水源槽と連結し、其の滴下量を適当なコントロールスイッチで調節して常時適当量の冷媒水を供給する様にした事を他の特徴とし、更に冷媒水に消毒剤、殺菌剤、芳香剤の少なくとも一種を混合して、冷却雰囲気内の消毒、殺菌、或いは芳香セラピーの何れかの処置を同時に実施する様に構成した事を更に他の特徴とする。
【考案の効果】
【０００９】          斯くの如き構成及び作用を備えた本考案は、以下の如き諸効果を有している。
（１）  簡単な部材を従来の技術に付加するのみであるから、本考案の送風機は安価で          ある。
（２）  軽量であるから、冷媒水供給管を適当な長さとすれば、適当な場所に持ち運び          自在である。
（３）  通常の同型機器に比べ、最大２°Ｃの範囲内で適宜その所定雰囲気の温度低下          を行う事が出来る。
（４）  温度調節と同時に湿度調節、及び殺菌、消毒、アロマセラピーの何れかの処置          も同時に実施し得る。
【実姉例】
【００１０】          、本考案の温度、湿度調節送風機（１）は、図１及び図２に示す一般家庭用のスタンド型扇風機（２）と、その前ガード（８）上に取り付けられた特定形状並びに特定寸法の冷媒例えば水を浸透し保水する能力の高い湿潤布と、、此れに冷媒水を徐々に供給する二股分枝状の冷媒水供給管（１０）と、この供給管の水供給量を制御する調節器（１４）と、冷媒水を貯蔵する冷媒水槽（１６）順次連結した構造より成る。
【００１１】          この様な構造に於いて前記扇風機（２）は、図１の如く、一般に使用されるスタンド型扇風機であり、ベース（４）、電源コード（５）、伸縮自のスタンドポール（３）、前後がガード（８）で保護された送風部（２‘）より成り、風量調節スイッチ（１７）、首振りスイッチ、タイマースイッチ（２０）等を備えたスイッチ部（７）で、各種運転モードで送風運転し得る様に構成されている。
【００１２】          この様な構造の前記送風部（２‘）のガードリング上には、符号（１１）で示す如く、先端部が閉鎖され、多数の細孔（１３）が開けられた二股分枝管を備えたビニール製の冷媒水供給管（１０）が、適当な手段で取り付られており、此の二股分枝管（１１）には、其の下部のガードリングと共に、適当数の紐（１２）（１２）・・・で前記湿潤布（９）が取り付けられている。
【００１３】          此の湿潤布（９）は、繊維性物質、布状物質、多孔性合成樹脂等何れのものでも良いが、浸透性が高く、しかも保水性の良好であるのが好ましいので、特に木綿製の厚みの生地を選定使用し、扇風機の風道に相当する部分を山形状に切り抜いて、前ガード（８）の四分の一の面積を被覆し、送風と同時に前方にはためき得る程度の紐で、前記二股管の（１１）の細孔から直接又は間接的に充分冷媒水が湿潤布（９）に浸透し得る如く接合されている。
【００１４】          一方、前記二股枝管（１１）の主管即ち冷媒水供給管（１０）は、枝管と同質のビニール材で製造されており、硬質のポリエチレン製の冷媒水槽（１６）と接続され、其の滴下流路には、冷媒水の滴下量又は流量を調節する為の制御手段（１４）が設けられている。
【００１５】          斯く如く組立てられた本考案の送風機（１）は、先ず適当な懸垂手段例えば取付けフック（１８）で、適当場所に装着されている冷媒水槽（１６）に適量の冷媒水を入れ、滴下量制御手段（１４）のコントロールボタン又はコック（１５）を調節して、適量の冷媒水が、主管（１０）、二股枝管（１１）、其の細孔（１３）を経て湿潤布（９）に浸透する様に操作する。
【００１６】          その後間をおいて、前記湿潤布が、充分冷媒水を浸透して保水したかどうかをを見計らって、コンセント（６）を電源に挿入し、スイッチ（７）の各種運転モードを選定して、扇風機（１）の運転を開始する。
【００１７】          この様にして運転が開始されると、（Ｆ）方向から冷媒水は滴下し、前記二股枝管（１１）を経て湿潤布（９）に滲出した冷媒水は、此の布内で適宜保水され、此の布を突き抜けて矢印（ｆ）方向に噴出す風に依るか、或いは、此の布をはためかせる通常の全風道部分の風に依るかして、符号（ｍ）で示すミストとして噴出されるか或いは払い出される。
この様にしてミスト化した冷媒水は、先ず此の雰囲気の湿度を高めると共に、其の気化した部分は、此の雰囲気の熱を吸収して冷却する。
此の場合に、此の冷媒水の中に殺菌剤、消毒剤、又は芳香剤を適度に混入すれば、此の雰囲気内を殺菌し、消毒し、又はアロマテラピー効果を発揮する。
【００１８】          一方、この種送風機の実験に於いて、夫々使用した機器、付属部品、実験場所、材質等の名称、条件並びに効果は、以下に記載の通りである。
使用扇風機：  羽根直径３０ｃｍ、弱（６５０Ｔ／ｍ），中（８５０Ｔ／ｍ）
強（１，２００Ｔ／ｍ）の３段切り替え型のスタンド型扇風機。
使用室内面積：６畳間
湿潤布：      材質＝厚手の木綿布
使用面積＝扇風機の前ガード面積の約四分の一
形状＝山形状の風道切抜き部を備えた形状（図１参照）
冷媒水槽：    材質＝硬質ポリエチレン
容量＝２０００ｍｌ
重量＝４−５ｋｇ‘（冷媒水込み）
冷媒水供給管：主管＝３０Φ  ビニール管
分枝二股管＝１５Φ    水滴細孔＝１５箇所、４Φ
水滴落下量＝３．５ｌ／ｍｉｎ
使用平均時間＝６時間／日
冷却効果：    弱スイッチ（６５０Ｔ／ｍｉｎ）＝約１．．３°Ｃ
中スイッチ（８５０Ｔ／ｍｉｎ）＝約１．６°Ｃ
強スイッチ（１２００Ｔ／ｍｉｎ）＝約２．０℃
【００１９】          本考案の送風機特に羽根寸法３０ｃｍのスタンダード型扇風機に於いてさえ、室内６畳間で最大２℃の冷却効果が有り、此れを利用すれば、夏季の暑さでさえ、空調設備なしの６畳間でも、ほぼ身体のストレス無しで生活する事が出来、又此の冷媒水の中に殺菌剤、消毒剤を混入して使用すれば、温度低下の効果と共に湿度を上昇させ、消毒、殺菌効果も附帯できるので、病室等の空調に安価且つ有効に利用できる。
又、芳香剤等を混入すれば、アロマテラピー用としても利用出来ので、此れを利用する事により、安眠等を誘導し得る効果も付帯していると考えられる。
【図面の簡単な説明】
【００２０】
【図１】      本考案の送風機の使用状態を示す部分斜視図である。
【図２】      本考案の送風機の送風部と、冷媒水槽間の冷媒水滴供給制御方式を示す説明図である。
【図３】      本考案の送風機全体像を示す略図である。
【符号の説明】
【００２１】  １              本考案の温度、湿度調節送風機
２              本送風機に使用するスタンド型扇風機
３              スタンドポール
４              ベース
８              前ガード
９              湿潤布
１０              二股冷媒水供給管
１１              二股枝管
１２              湿潤布取付け紐
１３              冷媒水流出用細孔
１４              冷媒水滴下量制御手段
１６              冷媒水槽
１８              取付けフック
【図１】
0003166744.tif 000003
【図２】
0003166744.tif 000004
【図３】
0003166744.tif 000005
【手続補正書】
【提出日】平成22年12月20日(2010.12.20)
【手続補正１】
【補正対象書類名】実用新案登録請求の範囲
【補正対象項目名】全文
【補正方法】変更
【補正の内容】
【実用新案登録請求の範囲】
【請求項１】
夫々一面に多数の細孔を具備し、夫々の両端が閉塞された二股枝管を備えた冷媒水供給管と、前記枝管から滲出する冷媒水を含浸すると共に保水する湿潤布と、適当な構造の送風機とより成り、前記湿潤布を、送風機の前ガード上面上に、前記冷媒水供給管の二股枝管を、送風機の前、後ガード合体用のガードリング上に夫々装着すると共に、此れ等両者を、前記冷媒水が直接的又は間接的に、後者から前者へ供給され得る様に構成した事を特徴とする温度、湿度調節送風機。
【請求項２】
前記冷媒水供給管が、その供給量を調節する手段を介して、冷媒水貯槽に連結されている事を特徴とする請求項１記載の送風機。
【請求項３】
前記湿潤布が、天然又は合成樹脂製の繊維又は布である事を特徴とする請求項１又は２に記載の送風機。
【請求項４】
前記冷媒水供給管が、合成樹脂特にビニール樹脂である事を特徴とする請求項１乃至３何れか１項に記載の送風機。
【請求項５】
前記送風機が、家庭用スタンド型扇風機である事を特徴とする請求項１乃至４何れか１項に記載の送風機。
【請求項６】
前記冷媒水貯槽に、消毒剤、殺菌剤、及び芳香剤の少なくとも一種を混合した事を特徴とする請求項１乃至５何れか１項に記載の送風機。